(57)【特許請求の範囲】
【請求項１】
周囲に側溝を有し、該側溝まで土又は芝生が続き、地下に、浸透水が浸透し難い基盤を
有するグラウンドにおいて、
前記側溝の前記グラウンド側に副側溝を設ける副側溝設置工程と、
前記副側溝が設けられた前記グラウンドの表層から前記基盤の上までの余分な浸透水を
前記副側溝に排水させる浸透水排水工程と、
前記浸透水を前記副側溝から前記側溝内部へ導水させる流路を設ける流路形成工程と、
前記流路が形成された後に、前記副側溝の内部に、濾過機能を有する濾過構造体を前記
グラウンドの表層から前記基盤の上まで着脱可能に挿着する構造体挿着工程とを備えるこ
とを特徴とするグラウンドの排水方法。
【請求項２】
前記浸透水排水工程において、前記表層から前記基盤の上までを切断及び／又は掘削す
ることで、地中に浸透した水の捌け道を造り、余分な浸透水を前記副側溝に排水させるこ
とを特徴とする請求項１に記載のグラウンドの排水方法。
【請求項３】
前記流路に水量を調節する水門式又はダイヤル式等の排水調整具を設けることを特徴と
する請求項１又は請求項２に記載のグラウンドの排水方法。
【発明の詳細な説明】
【技術分野】
【０００１】
本発明は、土又は芝生のグラウンドの浸透水の排水方法に関し、特に、メンテナンスが
容易で、安価且つ効果的に浸透水を排水できるグラウンドの排水方法に関する。
【背景技術】
【０００２】
従来から、我が国では、土又は芝生のグラウンドは、図６に示すように、グラウンドの周囲を取り囲むように、側溝１０２が設けられている。この側溝１０２は、通常、コンクリート等の水を通さない材料からなるため、内側の側面が仕切り１０７として機能してしまい地中の水が側溝１０２の側面を介して排水されない構造となっている。
【０００３】
このため、従来の土又は芝生のグラウンドの排水方法は、グラウンドの地中に透水管１０３を設置して、グラウンドに染み込んだ浸透水を、地中に布設された透水管１０３を介して、副側溝１０２の外側４隅に設けられた集水枡１０４に集水する形でグラウンド外に排水される方法がとられている。なお、地中の浸透能力を超えた雨水等は、グラウンド表面を流れ、グラウンドの周囲に設けられた側溝１０２に流れ込むようになっている。
【０００４】
この排水方法によれば、グラウンドの周囲の側溝１０２と、地中の透水管１０３や集水枡１０４等を一度設置すれば、周期的にメンテナンス作業を行うことで長期間に渡る排水効果が期待されていた。
【０００５】
しかしながら、このグラウンドの排水方法には以下のような問題点がある。地中に布設された透水管１０３には、グラウンドの表層，中層，下層を経て集まった浸透水が、管の外側から管の内部に向かって浸透するが、図７に示すように、透水管１０３の全周には不織布１０６が填装されており、土砂に含まれる粘土質のシルト成分が、この不織布１０６に粘着することで、透水管１０３が目詰まりを起こす。
【０００６】
このように透水管１０３が目詰まりすると、グラウンドに染み込んだ浸透水が透水管１０３の内部まで届かず、前記浸透水を集水枡１０４まで導水し、グラウンド外に排水することができなくなる。行き場を失った浸透水は地中に蓄積され、過剰な水分を含んだ土壌となる。この浸透水過剰状態は、芝生の根腐れや芝枯れ、土壌中の酸素欠乏により有毒な硫化水素ガスが発生し、芝の生育を妨げるブラックレイヤーの要因となる。
【０００７】
この浸透水過剰状態の解消方法としては、グラウンド中に布設された透水管１０３を一度掘り起こし、新しい透水管１０３に交換する透水管交換作業や、トレンチャー等の機材を使用して、比較的幅が狭く深い穴を掘り、グラウンドに染み込んだ浸透水を前記穴に集める集水穴穿設作業等が知られている。
【０００８】
また、従来の芝生及び土グラウンドの排水不良改善方法として、古くからスリットドレーン又はトレンチャー等の掘削機材で表層から下層まで溝を切る方法も知られている。
【先行技術文献】
【非特許文献】
【０００９】
【非特許文献１】「財団法人日本体育施設協会発行屋外体育施設の建設指針」
【発明の概要】
【発明が解決しようとする課題】
【００１０】
しかしながら、この従来の透水管交換作業による浸透水過剰状態の解消方法は、グラウンド中に布設された透水管の中から、目詰まりしたポイントを特定するのが困難で、結局、全ての透水管の交換作業が必要となる。この交換作業は、グラウンド中の透水管を専用又はその他の機材によって一度掘り起こし、新しい透水管を設置するため、膨大な時間と費用を要し、自治体等の既設グラウンド管理者にとって大きな負担となっていた。
【００１１】
また、従来の集水穴穿設作業による浸透水過剰状態の解消方法は、掘削した穴に、周辺に蓄積されていた過剰な水分が流れ込むことによって、一定期間において効果が得られるものの、次第に、粘土質のシルト成分によって穴の内壁が覆われていくため、効果が得られなくなってしまう。加えて、土砂によって掘削した穴が少しずつ埋まるため、重畳的に効果は一時的なものとなり、長期的に十分な効果が得られないという問題があった。
【００１２】
さらに、スリットドレーン又はトレンチャー等の掘削機材で表層から下層まで溝を切る方法は、ゴルフ場のグリーンの様に周囲が仕切り等の構造物で囲まれていない解放された施設では有効であり使用されてきたが、一般的な芝生及び土グラウンドのように周囲を側溝及び仕切り等の構造物で囲まれているところでは効果がなく実施されてこなかった。
【００１３】
なぜなら、スリットドレーン及びトレンチャー等で溝を設け表層、中層、下層の目詰まりが改善されても、周囲を側溝等で囲まれている施設では、殆ど透水管経由でしか過剰な浸透水を外部に排出することができず、加えて、この透水管が目詰まりをするとスリットドレーン、トレンチャー等の工法も機能しなくなるためである。
【００１４】
そこで、本発明が解決しようとする課題は、簡単なメンテナンス作業で、安価且つ効果的に浸透水を排水調整できるグラウンドの排水方法を提供することである。
【課題を解決するための手段】
【００１５】
この発明は、前記課題を解決するためになされたもので、請求項１に記載のグラウンド
の排水方法は、周囲に側溝を有し、該側溝まで土又は芝生が続き、地下に、浸透水が浸透
し難い基盤を有するグラウンドにおいて、前記側溝のグラウンド側に副側溝を設ける副側
溝設置工程と、前記副側溝が設けられた前記グラウンドの表層から前記基盤の上までの余
分な浸透水を前記副側溝に排水させる浸透水排水工程と、前記浸透水を前記副側溝から前
記側溝内部へ導水させる流路形成工程と、前記流路が形成された後に、前記副側溝の内部
に、濾過機能を有する濾過構造体を前記グラウンドの表層から前記基盤の上まで着脱可能
に挿着する構造体挿着工程とを備えることを特徴としている。
【００１６】
請求項１に記載のグラウンドの排水方法によれば、グラウンドの周囲において、側溝の
グラウンド側に副側溝を設け、前記浸透水を前記副側溝から前記側溝内部へ導水させる流
路を設けることで、浸透水が阻まれることがなくなる。このため、従来のような透水管交
換作業や集水穴穿設作業等の大掛かりな作業を必要とせず、簡単なメンテナンス作業によ
って、芝生劣化の原因となる地中の過剰な浸透水をグラウンド外に排水することができる。
【００１７】
また、請求項１に記載のグラウンドの排水方法によれば、従来の芝生及び土のグラウン
ドでは、コンクリート等の固定構造物で仕切られており、側溝の近傍では土圧の逃げ場が
なく、土と固定構造物との境界面が経年劣化により固化し、側溝の側面に穴が設けられて
いたとしても、排水不良が発生するという問題があったが、副側溝を設けたことにより、
この問題を解消することができる。
【００１８】
また、請求項１に記載のグラウンドの排水方法によれば、流路によって副側溝と側溝と
を連結することで、副側溝に集まるグラウンド上の余剰水及び地中の過剰な浸透水を側溝
を介してグラウンド外へと排水することができる。
【００１９】
また、請求項１ に記載のグラウンドの排水方法によれば、副側溝に濾過構造体を挿着す
ることで、浸透水に混じる、土砂， 芝生の残滓が側溝や河川へ流れ込むのを防ぎ、芝生の
残滓等に残る農薬， 肥料によって生じる河川水の汚染が低減されるとともに、濾過構造体
に付着した微生物が、水の汚れの原因物質であるチッソやリン等を栄養分として取り込み、
分解しながら生き続けることで、排水を浄化できるので環境に優しい。
【００２０】
また、請求項１に記載のグラウンドの排水方法によれば、濾過構造体をグラウンドの表
層から前記基盤の上まで着脱可能にしたことにより、副側溝に溜まった土砂を取り除いた
り、構造体に絡まった芝生の残滓を除去する副側溝や濾過構造体の清掃作業が容易になり、
浸透水排水工程によるグラウンド排水効果を永続的に維持することができるとともに、挿
着して間もなく芝が張るようになるので見栄えもよい。
【００２１】
さらに、請求項１に記載のグラウンドの排水方法によれば、濾過構造体を十分な強度を
有する構造体にし、副側溝に挿着することで、グラウンド上の競技者が踏みつけても踏動
することなく、安全に競技を続けることができる。
【００２２】
請求項２に記載のグラウンドの排水方法は、請求項１において、前記浸透水排水工程に
おいて、前記表層から前記基盤の上までを切断及び／又は掘削することで、地中に浸透し
た水の捌け道を造り、余分な浸透水を前記副側溝に排水させることを特徴としている。
【００２３】
請求項２に記載のグラウンドの排水方法によれば、請求項１に記載の効果に加えて、前
記浸透水排水工程は、トラクタ等の専用又はその他の掘削機材によってグラウンド内を走
るだけで、グラウンド表層から基盤の上までの過剰な浸透水の捌け道を造り、短時間で効
率的な排水を実現する。同時に、古い根を切ることで、芝生の発育を刺激し、病気を改善
する根切りの効果が得られる。
【００２４】
また、請求項２に記載のグラウンドの排水方法によれば、副側溝設置工程は、初回メン
テナンス時の１回で足り、後は、定期的なメンテナンス作業はトラクタ等の専用又はその
他の掘削機材による浸透水排水工程と構造体挿着工程のみとなり、従来の透水管交換作業
や集水穴・設作業に比べ、短時間且つ低コストでのメンテナンス作業が可能となる。
【００２５】
請求項３に記載のグラウンドの排水方法は、請求項１又は請求項２において、前記流路
に水量を調節する水門式又はダイヤル式等の排水調整具を設けることを特徴としている。
【００２６】
請求項３に記載のグラウンドの排水方法によれば、請求項１又は請求項２の効果に加え
て、流路の水量を調節可能な水門式又はダイヤル式等の排水調整具を設けることで、既設
グラウンドの含水状況に応じて排水する水量を調整することができる。したがって、地域
性，季節，気象条件によって生じる日照時間や降水量の違いにより、大きく変わるグラウ
ンドの含水状況を管理することができる。
【００２７】
【００２８】
【００２９】
【００３０】
【００３１】
【発明の効果】
【００３２】
本発明によれば、簡単なメンテナンス作業で、安価且つ効果的に過剰な浸透水を排水できるグラウンドの排水方法を提供することができる。
【図面の簡単な説明】
【００３３】
【図１】グラウンドの排水構造の一実施形態を示す部分断面図である。
【図２】本発明の一実施形態に係るグラウンドの排水方法のフローチャートである。
【図３】本発明に係るグラウンドの排水方法に用いる濾過構造体を模式的に示した図である。
【図４】本発明に係る副側溝設置工程の説明に供する図であって、（Ａ）副側溝設置前のグラウンドの断面図，（Ｂ）芝生層除去後のグラウンドの断面図，（Ｃ）副側溝掘削後のグラウンドの断面図，（Ｄ）排水量調整具設置後のグラウンドの断面図，（Ｅ）濾過構造体挿着後のグラウンドの断面図，（Ｆ）芝生層復元後のグラウンドの断面図である。
【図５】本発明に係る浸透水排水工程の説明に供する図である。
【図６】従来のサッカーグラウンドの排水配管の説明に供する図である。
【図７】透水管の説明に供する図である。
【発明を実施するための形態】
【００３４】
以下、本発明を適用した具体的な実施の形態について、図面を参照しながら詳細に説明する。本発明を適用したグラウンドの排水構造１は、例えば、図１に示すような構成となる。
【００３５】
先ず、図１を参照して、グラウンドの排水構造１の構成の概略について説明する。この
グラウンドの排水構造１は、図１に示すように、前記仕切り３又は側溝２の前記グラウン
ド側に、グラウンド表面の余剰水と地中の過剰な浸透水とを集水し側溝２へと流す副側溝
４と、グラウンド中に等間隔に敷設され、地中の過剰な浸透水を排水管１８を介して集水
枡１４まで導水する透水管６と、副側溝４に挿着され、グラウンド上の競技者の踏圧に耐
え得る十分な強度と濾過機能を有する濾過構造体８ とを主要部として備えている。
【００３６】
側溝２は、一般的にグラウンドの周囲に設けられ、グラウンドの内外を隔てる仕切りと
しての役割を果たすとともにグラウンドの表層で雨水等が浸透できない過剰水を排水する。
【００３７】
また、側溝２は、副側溝４との間に流路５及び排水調整具１５を設け、副側溝４と連結することで、副側溝４に集まるグラウンド表面の余剰水及び地中の過剰な浸透水をグラウンド外へ排水する。
【００３８】
さらに、側溝２の外側の４隅には集水枡１４が備えられており、集水枡１４には、基盤１３に敷設された透水管６及び排水管１８により排出された余剰水が集水する。
【００３９】
流路５には、流路５の流量を調節可能な水門式又はダイヤル式等の排水量調整具１５が設けられており、日照時間が長く、降水量の少ない時季には排水量を少なくすることで、グラウンドに適度な水分を蓄え、浸透水過剰状態にある場合には排水量を多くすることで、グラウンドの含水状況を適切に保てるように調整することができる。なお、通常は、側溝２に排水口を設け、副側溝４から流れ込んだグラウンド表面の余剰水及び地中の過剰な浸透水をグラウンド外へ排水するが、施設によっては側溝２が設置されておらず、仕切り３が単独で存在している場合もある。
【００４０】
副側溝４は、グラウンドの内外を隔てる仕切り３又は側溝２の内側を、スリットドレーン等の掘削機材によって、グラウンド表面から基盤１３の上までを掘削することで設けられている。副側溝４の幅及び深さは特に定められておらず、グラウンド表面の余剰水と、地中の過剰な浸透水を副側溝４から流路５を経由して側溝２まで導水するのに十分な幅及び深さを有していれば足りる。
【００４１】
副側溝４には、芝生の残滓等が地面に堆積して層を成したサッチ層１６等によって地中への浸透が妨げられグラウンド表面に残った余剰水、又はグラウンドの浸透能力を超えた余剰水と、トラクタ等の専用又はその他の掘削機材によってグラウンドの表面から基盤の上までを切断及び／又は掘削することで、それまで行き場を失っていた地中の過剰な浸透水とが流れ込む。副側溝４に流れ込んだ水は、側溝２との間に設けられた流路５及び側溝２を介して、グラウンド外へ排水される。
【００４２】
一般的に、透水管６は、グラウンド基盤１３に等間隔に布設されており、透水管６の管体には、透水管６の外側からの表層土等に含まれる粘土質のシルト成分及び有機物が混合された余剰水を濾過する濾過部７が設けられている。濾過部７は、例えば不織布からなるが、小孔等のフィルタとして機能するものであれば足り、特に限定されない。濾過部７で濾過された浸透水は、透水管６及び排水管１８を介して集水枡１４に導水される。
【００４３】
しかし、時間経過とともに、濾過部７が、表層土等に含まれる粘土質のシルト成分及び有機物が混合された余剰水によって目詰まりを起こす。このように濾過部７が、目詰まりを起こすと浸透水が透水管６内部まで届かず、排水機能を維持することができなくなるため、透水管６の交換作業が必要になる。
【００４４】
グラウンドの排水構造１は、透水管６に設けられた濾過部７が粘土質のシルト成分等により目詰まりを起こし排水機能を失った場合、副側溝４を設ける副側溝設置工程、及び、余剰水を副側溝４に導く捌け道１９を造る浸透水排水工程によるメンテナンスで排水機能を復帰させることができ、また、新設のグラウンドには透水管６の敷設が不要となり、それに伴い大幅に施設整備コストを削減することができる。
【００４５】
濾過構造体８は、図３に示すように、例えばハニカム構造体のような構造をしており、競技中の激しい踏圧に耐え得る十分な強度を有し、グラウンド上の競技者が踏みつけても踏動することがなく安全に競技を続けることができる。
【００４６】
また、濾過機能を有していることで、浸透水に混じる、土砂，芝生の残滓，微生物の側溝や河川への流れ込みを最小限に留めるとともに、濾過構造体８に付着したボルティケラやエピスティリス等の微生物が、水の汚れの原因物質を栄養分として取り込み、分解しながら生き続けることで、排水される水を浄化し、環境に配慮した配水を可能にする。
【００４７】
さらに、手動で容易に着脱が可能であり、副側溝４に溜まった土砂や、濾過構造体８に絡まった芝生の残滓を除去する清掃作業を定期的に行う事で、高い排水効果を長期間維持するとともに、濾過構造体８を透水ネット、若しくは不織布で包むことで、土砂や芝生の残滓の絡みつきを防ぎ、濾過構造体８の清掃作業を容易にすることができる。
【００４８】
次に、図２のフローチャートを参照して、グラウンドの排水方法について説明する。こ
のグラウンドの排水方法は、グラウンドの周囲の側溝２のグラウンド側に副側溝４を設け
るステップＳＴ１（請求項１の副側溝設置工程に対応）と、グラウンド上に残った余剰水
と、グラウンド地中の過剰な浸透水をステップＳＴ１によって設けた副側溝４に排水する
ステップＳＴ２（請求項１の浸透水排水工程に対応）と、ステップＳＴ１によって設けた
副側溝４に踏圧に耐え得る十分な強度と、濾過機能とを有する濾過構造体８を挿着するス
テップＳＴ３（請求項３の構造体挿着工程に対応）とで構成されている。
【００４９】
ステップＳＴ１では、図１に示すように、グラウンドの内外を隔てる仕切り３又は側溝
２と、芝床側面との間の表層１０，中層１１，下層１２の各層を、トレンチャー等の専用
又はその他の機材によって掘削し、掘削によってできた副側溝４ を、既存の側溝２とに連
結することで副側溝４とする。この副側溝４をグラウンド側に設けることで、従来、仕切
り３によって側溝２への流れ込みを妨げられ、行き場を失っていたグラウンド上の余剰水
及び地中の過剰な浸透水を、副側溝４，流路５及び副側溝４に連結された側溝２を介して
流量を調節しながらグラウンド外へ排水することができる。
【００５０】
また、ステップＳＴ１では、側溝２のグラウンド側の側面に流路５を設け、副側溝４と側溝２とを複数の箇所において連結する。そして、副側溝４から側溝２の流路５の位置に、排水量調整具１５を取り付ける。
【００５１】
次に、ステップＳＴ１において、図４を参照して具体的な副側溝４の設置方法について説明する。先ず、図４（Ｂ）に示すように、グラウンドの表面をターフカッターやソドカッター等の掘削機材を使用してグラウンド内から仕切り３までの芝生層２０を取り除く。取り除いた芝生層２０は、最後の工程において使用するのでそれまで保管しておく。
【００５２】
そして、図４（Ｃ）に示すように、芝生層２０をターフカッター等で５０ｍｍ前後の厚さでカットし、さらに、その下の表層１０から基盤１３までをトレンチャー等の機材で掘削し、副側溝４を設ける。さらに、側溝２のグラウンド側の外壁である仕切り３と副側溝４とを連結する流路５を設け、側溝２に流れ込む浸透水の水量を調節できるように水門式又はダイヤル式等の排水量調整具１５を流路５内に設ける。
【００５３】
次に、図４（Ｄ）に示すように、副側溝４の崩れ防止も兼ねて濾過機能を有し透水性に優れる濾過構造体８を挿着する。
【００５４】
最後に、図４（Ｆ）に示すように、保管しておいた芝生層２０を床土及び副側溝４に被せることでグラウンド内の凹凸をなくすとともに景観を美しく保つことができる。
【００５５】
また、雨量の多い地域等で、表面排水を速やかに行いたい場合には、濾過構造体８を芝生表面のＧＬ（グラウンドレベル）に合わせ露出した状態にすることによりさらに速く余剰水の排出ができる。
【００５６】
ステップＳＴ２では、図５に示すように、スリットドレーン等の専用又はその他の掘削機材によって、グラウンド上を往来することで、地中で行き場を失っていた浸透水を副側溝４に流す溝状の捌け道１９を造る。
【００５７】
ステップＳＴ３では、ステップＳＴ１によって設けられた副側溝４に、図３に示すような濾過構造体８を装着する。この濾過構造体８の着脱は手動で容易に行う事ができ、定期的に外して土砂や芝生の残滓を取り除くことで高い排水効果を維持できる。
【００５８】
このグラウンドの排水方法によれば、ステップＳＴ１の副側溝設置工程は、グラウンド新設時若しくは初回メンテナンス時の１回のみで足り、後は、定期的なメンテナンス作業はステップＳＴ２の浸透水排水工程とステップＳＴ３の構造体挿着工程のみとなる。この浸透水排水工程は、トラクタ等の専用又はその他の掘削機材でグラウンド内を走るだけでよく、従来の透水管交換作業や集水穴穿設作業と比べて短時間且つ低コストでのメンテナンス作業が可能なため、自治体等のグラウンド管理者の負担を大幅に軽減することができる。
【００５９】
また、このグラウンドの排水方法によれば、挿着して間もなく濾過構造体８の上にも芝が張り、又は、保管しておいた芝生層を濾過構造体８の上に被せるので、グラウンドの芝９と、濾過構造体８上の芝が溶け込み一体化して、濾過構造体８の挿着場所が目立たなくなり景観を美しく保つことができる。
【００６０】
なお、本発明は前述した実施の形態のみに限定されるものではなく、本発明の要旨を逸脱しない範囲において種々の変更が可能であることは勿論である。例えば、このグラウンドの排水方法は、芝に関しては人工であるか天然であるかを問わず、また、土の種類も限定されず、公園や学校等のグラウンド施設に広く活用することができる。
【符号の説明】
【００６１】
１          グラウンドの排水構造
２          側溝
３          仕切り
４          副側溝
５          流路
６          透水管
７          濾過部
８          濾過構造体
９          芝
１０        表層
１１        中層
１２        下層
１３        基盤
１４        集水枡
１５        排水量調整具
１６        サッチ層
１７        上蓋
１８        排水管
１９        捌け道
２０        芝生層
１０１      従来の排水方法
１０２      側溝
１０３      透水管
１０４      集水枡
１０６      不織布
１０７      仕切り
【図１】
0005502138.tif 000002
【図２】
0005502138.tif 000003
【図４】
0005502138.tif 000004
【図５】
0005502138.tif 000005
【図６】
0005502138.tif 000006
【図３】
0005502138.tif 000007
【図７】
0005502138.tif 000008